(57)【要約】【課題】本発明は水晶床を開示した。【解決手段】地表を含み、前記地表の頂面の前後側には壁体が設置され、前記地表の中には上方に開口した第一チャンバが等間隔に配置され、前記壁体の前後にはレーザセンサが一対に対称的に設置され、前記第一チャンバの底壁には前記レーザセンサと通電可能に連結されたネオンライトが固定的に設置され、前記第一チャンバの頂壁には強化ガラスが固定的に設置され、前記強化ガラスの底面には水晶屈折層が固定的に設置され、前記第一チャンバの前側端壁には吸気口が外部に連通するように設置され、二つの前記第一チャンバの間には貫穴が連通するように設置され、最も右側の前記第一チャンバには排煙口が外部に連通するように設置され、前記排煙口の中には第一逆止弁が固定的に設置される。【選択図】図１
2020176500.tif 000002
【特許請求の範囲】
【請求項１】
正面視で、地表を含み、前記地表の頂面の前後側には壁体が設置され、前記地表の中には上方に開口した第一チャンバが等間隔に配置され、前記壁体の前後にはレーザセンサが一対に対称的に設置され、前記第一チャンバの底壁には前記レーザセンサと通電可能に連結されたネオンライトが固定的に設置され、前記第一チャンバの頂壁には強化ガラスが固定的に設置され、前記強化ガラスの底面には水晶屈折層が固定的に設置され、前記第一チャンバの前側端壁には吸気口が外部に連通するように設置され、二つの前記第一チャンバの間には貫穴が連通するように設置され、最も右側の前記第一チャンバには排煙口が外部に連通するように設置され、前記排煙口の中には第一逆止弁が固定的に設置され、前記第一チャンバの右側端壁の中には上方に開口した第一スライドチャンバが設置され、前記第一スライドチャンバの中には踏み板がスライド可能に設置され、前記踏み板と前記第一スライドチャンバの底壁との間には第一ばねが連結され、前記踏み板の底面には圧迫棒が固定的に設置され、前記第一スライドチャンバの底壁には前記圧迫棒と接触するスイッチが固定的に設置され、前記第一チャンバの底壁には第二スライドチャンバが設置され、前記第二スライドチャンバの中にはスライダーがスライド可能に設置され、前記スライダーの中にはモータが固定的に設置され、前記モータの左端には第一主動軸が伝動可能に連結され、前記モータの右端には第二主動軸が伝動可能に連結され、前記第二スライドチャンバの頂壁にはスライド溝が連通するように設置され、前記スライド溝の中には前記スライダーの頂面と固定的に連結された永久磁石がスライド可能に設置され、前記永久磁石と前記スライド溝の左側端壁との間には第二ばねが連結され、前記スライド溝の右端壁には前記レーザセンサと通電可能に連結された電磁石が固定的に設置され、前記第二スライドチャンバの右端壁には第二チャンバが設置され、前記第二チャンバと前記第一チャンバの後側端壁との間には送風排煙機構が設置され、前記第二スライドチャンバの左端壁には第三チャンバが設置され、前記第三チャンバの左側端壁には圧迫チャンバが連通するように設置され、前記圧迫チャンバと前記第三チャンバとの間には煙霧噴射機構が設置されていることで、前記レーザセンサが起動し、前記電磁石が前記永久磁石に反発し、前記永久磁石が前記スライダーを左にスライド連動させ、前記モータが運動エネルギーを前記煙霧噴射機構の中に伝達することを特徴とする水晶床。
【請求項２】
前記送風排煙機構は前記第二チャンバを含み、前記第二チャンバと前記第二スライドチャンバとの間には前記第二主動軸と噛み合った第一スプラインスリーブが回転可能に設置され、前記第一スプラインスリーブの右端には第一傘歯車が固定的に設置され、前記第一チャンバの後側端壁には送風チャンバが連通するように設置され、前記送風チャンバの前側には濾過網が固定的に設置され、前記送風チャンバの後側端壁には第四チャンバが設置され、前記第四チャンバと前記送風チャンバとの間には第一回転軸が回転可能に設置され、前記第一回転軸の左端には扇風機が固定的に設置され、前記第一回転軸の右端には第二傘歯車が固定的に設置され、前記第四チャンバと前記第二チャンバとの間には第二回転軸が回転可能に設置され、前記第二回転軸の頂端には前記第二傘歯車と噛み合った第三傘歯車が固定的に設置され、前記第二回転軸の底端には前記第一傘歯車と噛み合った第四傘歯車が固定的に設置されていることで、前記第一スプラインスリーブが前記第四傘歯車と前記第三傘歯車とを回転連動させ、前記第三傘歯車が前記扇風機に動力を伝達し、前記扇風機が回転して送風することを特徴とする請求項１に記載の水晶床。
【請求項３】
前記煙霧噴射機構は前記第三チャンバを含み、前記第三チャンバと前記第二スライドチャンバとの間には前記第一主動軸と噛み合った第二スプラインスリーブが回転可能に設置され、前記第二スプラインスリーブの左端には第五傘歯車が固定的に設置され、前記第三チャンバの中には前後に伸びた第三回転軸が回転可能に設置され、前記第三回転軸には前記第五傘歯車と噛み合った第六傘歯車が固定的に設置され、前記第六傘歯車の前端には円盤が固定的に設置され、前記圧迫チャンバの左端には第二逆止弁が固定的に設置され、前記第二逆止弁の左側の前記圧迫チャンバの中には粉塵供給パイプが連通するように設置され、前記第二逆止弁の右側の前記圧迫チャンバの中にはピストンがスライド可能に設置され、前記ピストンの中には右方に開口した凹み溝が設置され、前記凹み溝の後側端壁と前記円盤の前側端面との間にはヒンジ連結棒がヒンジで連結され、前記圧迫チャンバの頂壁には煙霧生成器が連通するように設置されていることで、前記円盤が前記ヒンジ連結棒を連動させて前記圧迫チャンバの中でスライドさせ、前記ピストンにより粉塵を前記煙霧生成器の中に押して煙霧を生むことを特徴とする請求項１に記載の水晶床。
【発明の詳細な説明】
【技術分野】
【０００１】
本発明は床装飾分野に関し、具体的には水晶床に関する。
【背景技術】
【０００２】
ガラス床は一般単調で色による装飾がなく、舞台として使う時、別途に床の上方に舞台効果に工夫を加え、全体感が悪い。また、煙と屈折した光線により幻覚効果を作った後、煙を集めて統一に処分すべきのであり、光などの効果にも異なるレベルを設置して省エネを図る。そのため、水晶床をデザインして上記問題を解決する必要がある。
【先行技術文献】
【特許文献】
【０００３】
【特許文献１】中国特許出願公開第101868583号明細書
【発明の概要】
【発明が解決しようとする課題】
【０００４】
本発明の目的は水晶床を提供し、それは上記の現在の技術中の問題を解決できる。
【課題を解決するための手段】
【０００５】
上記の課題を解決するため、本発明は以下の技術プランを採用する：水晶床は、地表を含み、前記地表の頂面の前後側には壁体が設置され、前記地表の中には上方に開口した第一チャンバが等間隔に配置され、前記壁体の前後にはレーザセンサが一対に対称的に設置され、前記第一チャンバの底壁には前記レーザセンサと通電可能に連結されたネオンライトが固定的に設置され、前記第一チャンバの頂壁には強化ガラスが固定的に設置され、前記強化ガラスの底面には水晶屈折層が固定的に設置され、前記第一チャンバの前側端壁には吸気口が外部に連通するように設置され、二つの前記第一チャンバの間には貫穴が連通するように設置され、最も右側の前記第一チャンバには排煙口が外部に連通するように設置され、前記排煙口の中には第一逆止弁が固定的に設置され、前記第一チャンバの右側端壁の中には上方に開口した第一スライドチャンバが設置され、前記第一スライドチャンバの中には踏み板がスライド可能に設置され、前記踏み板と前記第一スライドチャンバの底壁との間には第一ばねが連結され、前記踏み板の底面には圧迫棒が固定的に設置され、前記第一スライドチャンバの底壁には前記圧迫棒と接触するスイッチが固定的に設置され、前記第一チャンバの底壁には第二スライドチャンバが設置され、前記第二スライドチャンバの中にはスライダーがスライド可能に設置され、前記スライダーの中にはモータが固定的に設置され、前記モータの左端には第一主動軸が伝動可能に連結され、前記モータの右端には第二主動軸が伝動可能に連結され、前記第二スライドチャンバの頂壁にはスライド溝が連通するように設置され、前記スライド溝の中には前記スライダーの頂面と固定的に連結された永久磁石がスライド可能に設置され、前記永久磁石と前記スライド溝の左側端壁との間には第二ばねが連結され、前記スライド溝の右端壁には前記レーザセンサと通電可能に連結された電磁石が固定的に設置され、前記第二スライドチャンバの右端壁には第二チャンバが設置され、前記第二チャンバと前記第一チャンバの後側端壁との間には送風排煙機構が設置され、前記第二スライドチャンバの左端壁には第三チャンバが設置され、前記第三チャンバの左側端壁には圧迫チャンバが連通するように設置され、前記圧迫チャンバと前記第三チャンバとの間には煙霧噴射機構が設置されていることで、前記レーザセンサが起動し、前記電磁石が前記永久磁石に反発し、前記永久磁石が前記スライダーを左にスライド連動させ、前記モータが運動エネルギーを前記煙霧噴射機構の中に伝達する。
【０００６】
優選的には、前記送風排煙機構は前記第二チャンバを含み、前記第二チャンバと前記第二スライドチャンバとの間には前記第二主動軸と噛み合った第一スプラインスリーブが回転可能に設置され、前記第一スプラインスリーブの右端には第一傘歯車が固定的に設置され、前記第一チャンバの後側端壁には送風チャンバが連通するように設置され、前記送風チャンバの前側には濾過網が固定的に設置され、前記送風チャンバの後側端壁には第四チャンバが設置され、前記第四チャンバと前記送風チャンバとの間には第一回転軸が回転可能に設置され、前記第一回転軸の左端には扇風機が固定的に設置され、前記第一回転軸の右端には第二傘歯車が固定的に設置され、前記第四チャンバと前記第二チャンバとの間には第二回転軸が回転可能に設置され、前記第二回転軸の頂端には前記第二傘歯車と噛み合った第三傘歯車が固定的に設置され、前記第二回転軸の底端には前記第一傘歯車と噛み合った第四傘歯車が固定的に設置されていることで、前記第一スプラインスリーブが前記第四傘歯車と前記第三傘歯車とを回転連動させ、前記第三傘歯車が前記扇風機に動力を伝達し、前記扇風機が回転して送風する。
【０００７】
前記煙霧噴射機構は前記第三チャンバを含み、前記第三チャンバと前記第二スライドチャンバとの間には前記第一主動軸と噛み合った第二スプラインスリーブが回転可能に設置され、前記第二スプラインスリーブの左端には第五傘歯車が固定的に設置され、前記第三チャンバの中には前後に伸びた第三回転軸が回転可能に設置され、前記第三回転軸には前記第五傘歯車と噛み合った第六傘歯車が固定的に設置され、前記第六傘歯車の前端には円盤が固定的に設置され、前記圧迫チャンバの左端には第二逆止弁が固定的に設置され、前記第二逆止弁の左側の前記圧迫チャンバの中には粉塵供給パイプが連通するように設置され、前記第二逆止弁の右側の前記圧迫チャンバの中にはピストンがスライド可能に設置され、前記ピストンの中には右方に開口した凹み溝が設置され、前記凹み溝の後側端壁と前記円盤の前側端面との間にはヒンジ連結棒がヒンジで連結され、前記圧迫チャンバの頂壁には煙霧生成器が連通するように設置されていることで、前記円盤が前記ヒンジ連結棒を連動させて前記圧迫チャンバの中でスライドさせ、前記ピストンにより粉塵を前記煙霧生成器の中に押して煙霧を生む。
【発明の効果】
【０００８】
以上により、本発明の水晶床は、反応が速やかで、舞台効果がいい。また、本発明の水晶床は異なるレベルが設置され、煙霧を統一に集め、省エネで環境に優しく、使用寿命が長い。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の水晶床の全体構造図
【図２】図２は図１におけるＡ―Ａの構造図
【図３】図３は図１におけるＢの拡大構造図
【図４】図４は図１におけるＣの拡大構造図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜４に示すように、本発明の水晶床は、地表１９を含み、前記地表１９の頂面の前後側には壁体１０が設置され、前記地表１９の中には上方に開口した第一チャンバ２０が等間隔に配置され、前記壁体１０の前後にはレーザセンサ１１が一対に対称的に設置され、前記第一チャンバ２０の底壁には前記レーザセンサ１１と通電可能に連結されたネオンライト６２が固定的に設置され、前記第一チャンバ２０の頂壁には強化ガラス２６が固定的に設置され、前記強化ガラス２６の底面には水晶屈折層２７が固定的に設置され、前記第一チャンバ２０の前側端壁には吸気口３０が外部に連通するように設置され、二つの前記第一チャンバ２０の間には貫穴２５が連通するように設置され、最も右側の前記第一チャンバ２０には排煙口１７が外部に連通するように設置され、前記排煙口１７の中には第一逆止弁１８が固定的に設置され、前記第一チャンバ２０の右側端壁の中には上方に開口した第一スライドチャンバ１３が設置され、前記第一スライドチャンバ１３の中には踏み板１２がスライド可能に設置され、前記踏み板１２と前記第一スライドチャンバ１３の底壁との間には第一ばね１４が連結され、前記踏み板１２の底面には圧迫棒１５が固定的に設置され、前記第一スライドチャンバ１３の底壁には前記圧迫棒１５と接触するスイッチ１６が固定的に設置され、前記第一チャンバ２０の底壁には第二スライドチャンバ２２が設置され、前記第二スライドチャンバ２２の中にはスライダー４４がスライド可能に設置され、前記スライダー４４の中にはモータ４６が固定的に設置され、前記モータ４６の左端には第一主動軸４５が伝動可能に連結され、前記モータ４６の右端には第二主動軸４７が伝動可能に連結され、前記第二スライドチャンバ２２の頂壁にはスライド溝４３が連通するように設置され、前記スライド溝４３の中には前記スライダー４４の頂面と固定的に連結された永久磁石４１がスライド可能に設置され、前記永久磁石４１と前記スライド溝４３の左側端壁との間には第二ばね４２が連結され、前記スライド溝４３の右端壁には前記レーザセンサ１１と通電可能に連結された電磁石４９が固定的に設置され、前記第二スライドチャンバ２２の右端壁には第二チャンバ２１が設置され、前記第二チャンバ２１と前記第一チャンバ２０の後側端壁との間には送風排煙機構９０が設置され、前記第二スライドチャンバ２２の左端壁には第三チャンバ２３が設置され、前記第三チャンバ２３の左側端壁には圧迫チャンバ２４が連通するように設置され、前記圧迫チャンバ２４と前記第三チャンバ２３との間には煙霧噴射機構９１が設置されていることで、前記レーザセンサ１１が起動し、前記電磁石４９が前記永久磁石４１に反発し、前記永久磁石４１が前記スライダー４４を左にスライド連動させ、前記モータ４６が運動エネルギーを前記煙霧噴射機構９１の中に伝達する。
【００１３】
有益的には、前記送風排煙機構９０は前記第二チャンバ２１を含み、前記第二チャンバ２１と前記第二スライドチャンバ２２との間には前記第二主動軸４７と噛み合った第一スプラインスリーブ４８が回転可能に設置され、前記第一スプラインスリーブ４８の右端には第一傘歯車３５が固定的に設置され、前記第一チャンバ２０の後側端壁には送風チャンバ３２が連通するように設置され、前記送風チャンバ３２の前側には濾過網３１が固定的に設置され、前記送風チャンバ３２の後側端壁には第四チャンバ３９が設置され、前記第四チャンバ３９と前記送風チャンバ３２との間には第一回転軸３４が回転可能に設置され、前記第一回転軸３４の左端には扇風機３３が固定的に設置され、前記第一回転軸３４の右端には第二傘歯車４０が固定的に設置され、前記第四チャンバ３９と前記第二チャンバ３２との間には第二回転軸３７が回転可能に設置され、前記第二回転軸３７の頂端には前記第二傘歯車４０と噛み合った第三傘歯車３８が固定的に設置され、前記第二回転軸３７の底端には前記第一傘歯車３５と噛み合った第四傘歯車３６が固定的に設置されていることで、前記第一スプラインスリーブ４８が前記第四傘歯車３６と前記第三傘歯車３８とを回転連動させ、前記第三傘歯車３８が前記扇風機３３に動力を伝達し、前記扇風機３３が回転して送風する。
【００１４】
有益的には、前記煙霧噴射機構９１は前記第三チャンバ２３を含み、前記第三チャンバ２３と前記第二スライドチャンバ２２との間には前記第一主動軸４５と噛み合った第二スプラインスリーブ５９が回転可能に設置され、前記第二スプラインスリーブ５９の左端には第五傘歯車６０が固定的に設置され、前記第三チャンバ２３の中には前後に伸びた第三回転軸５７が回転可能に設置され、前記第三回転軸５７には前記第五傘歯車６０と噛み合った第六傘歯車６１が固定的に設置され、前記第六傘歯車６１の前端には円盤５８が固定的に設置され、前記圧迫チャンバ２４の左端には第二逆止弁５３が固定的に設置され、前記第二逆止弁５３の左側の前記圧迫チャンバ２４の中には粉塵供給パイプ５４が連通するように設置され、前記第二逆止弁５３の右側の前記圧迫チャンバ２４の中にはピストン５２がスライド可能に設置され、前記ピストン５２の中には右方に開口した凹み溝５５が設置され、前記凹み溝５５の後側端壁と前記円盤５８の前側端面との間にはヒンジ連結棒５６がヒンジで連結され、前記圧迫チャンバ２４の頂壁には煙霧生成器５０が連通するように設置されていることで、前記円盤５８が前記ヒンジ連結棒５６を連動させて前記圧迫チャンバ２４の中でスライドさせ、前記ピストン５２により粉塵を前記煙霧生成器５０の中に押して煙霧を生む。
【００１５】
下記に、図面と上記の本発明の水晶床の具体的な構造を合わせて使用方法を紹介する：
【００１６】
歩行者が前記強化ガラス２６を通りかかった時、まず前記踏み板１２を踏み、前記踏み板１２が前記圧迫棒１５を連動させて下に前記スイッチ１６を押し、前記スイッチ１６が前記モータ４６を起動し、前記モータ４６が前記第一主動軸４５と前記第二主動軸４７とを回転連動させ、前記第二主動軸４７が前記第一傘歯車３５を回転連動させ、前記第一傘歯車３５が前記第四傘歯車３６と前記第三傘歯車３８とを回転連動させ、前記第三傘歯車３８が前記扇風機３３の中に動力を伝達し、前記扇風機３３が回転して送風し、前記第一チャンバ２０の中に空気が流動し始め、煙霧を作り出した後煙霧の流動の効果を作る。
【００１７】
歩行者は引き続き左に進んで前記レーザセンサ１１を遮った後、前記レーザセンサ１１が起動して前記レオンライト６２が点くと同時に、前記電磁石４９が前記永久磁石４１に反発し、前記永久磁石４１が前記スライダー４４を左にスライド連動させ、前記第一主動軸４５と前記第二スプラインスリーブ５９とを噛み合わせ、前記第一主動軸４５が前記第五傘歯車６０の中に伝動し、前記第五傘歯車６０が前記第六傘歯車６１と前記円盤５８を回転連動させ、前記円盤５８が前記ヒンジ連結棒５６により前記ピストン５２を連動させて前記圧迫チャンバ２４の中で往復にスライドさせ、この時前記圧迫チャンバ２４の中の粉塵が前記煙霧生成器５０の中に押されて煙霧に形成し、同時に前記ネオンライト６２のライトと前記水晶屈折層２７とにより多段の屈折が発生し、光線が流動の煙霧の中に分散的に射され、床に幻覚のような舞台効果が出る。
【００１８】
以上により、本発明の水晶床は、反応が速やかで、舞台効果がいい。また、本発明の水晶床は異なるレベルが設置され、煙霧を統一に集め、省エネで環境に優しく、使用寿命が長い。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020176500.tif 000003
【図２】
2020176500.tif 000004
【図３】
2020176500.tif 000005
【図４】
2020176500.tif 000006
【手続補正書】
【提出日】令和1年11月19日(2019.11.19)
【手続補正１】
【補正対象書類名】特許請求の範囲
【補正対象項目名】全文
【補正方法】変更
【補正の内容】
【特許請求の範囲】
【請求項１】
正面視で、地表を含み、前記地表の頂面の前後側には壁体が設置され、前記地表の中には上方に開口した第一チャンバが等間隔に配置され、前後両側の前記壁体の間には一対のレーザセンサが対向するように設置され、前記第一チャンバの底壁には前記レーザセンサと通電可能に連結されたネオンライトが固定的に設置され、前記第一チャンバの頂壁には強化ガラスが固定的に設置され、前記強化ガラスの底面には水晶屈折層が固定的に設置され、前記第一チャンバの前側端壁には吸気口が外部に連通するように設置され、二つの前記第一チャンバの間には貫穴が連通するように設置され、最も右側の前記第一チャンバには排煙口が外部に連通するように設置され、前記排煙口の中には第一逆止弁が固定的に設置され、前記第一チャンバの右側端壁の中には上方に開口した第一スライドチャンバが設置され、前記第一スライドチャンバの中には踏み板がスライド可能に設置され、前記踏み板と前記第一スライドチャンバの底壁との間には第一ばねが連結され、前記踏み板の底面には圧迫棒が固定的に設置され、前記第一スライドチャンバの底壁には前記圧迫棒と接触するスイッチが固定的に設置され、前記第一チャンバの底壁には第二スライドチャンバが設置され、前記第二スライドチャンバの中にはスライダーがスライド可能に設置され、前記スライダーの中にはモータが固定的に設置され、前記モータの左端には第一主動軸が伝動可能に連結され、前記モータの右端には第二主動軸が伝動可能に連結され、前記第二スライドチャンバの頂壁にはスライド溝が連通するように設置され、前記スライド溝の中には前記スライダーの頂面と固定的に連結された永久磁石がスライド可能に設置され、前記永久磁石と前記スライド溝の左側端壁との間には第二ばねが連結され、前記スライド溝の右端壁には前記レーザセンサと通電可能に連結された電磁石が固定的に設置され、前記第二スライドチャンバの右端壁には第二チャンバが設置され、前記第二チャンバと前記第一チャンバの後側端壁との間には送風排煙機構が設置され、前記第二スライドチャンバの左端壁には第三チャンバが設置され、前記第三チャンバの左側端壁には圧迫チャンバが連通するように設置され、前記圧迫チャンバと前記第三チャンバとの間には煙霧噴射機構が設置されていることを特徴とする水晶床。
【請求項２】
前記送風排煙機構は前記第二チャンバを含み、前記第二チャンバと前記第二スライドチャンバとの間には前記第二主動軸と噛み合った第一スプラインスリーブが回転可能に設置され、前記第一スプラインスリーブの右端には第一傘歯車が固定的に設置され、前記第一チャンバの後側端壁には送風チャンバが連通するように設置され、前記送風チャンバの前側には濾過網が固定的に設置され、前記送風チャンバの後側端壁には第四チャンバが設置され、前記第四チャンバと前記送風チャンバとの間には第一回転軸が回転可能に設置され、前記第一回転軸の左端には扇風機が固定的に設置され、前記第一回転軸の右端には第二傘歯車が固定的に設置され、前記第四チャンバと前記第二チャンバとの間には第二回転軸が回転可能に設置され、前記第二回転軸の頂端には前記第二傘歯車と噛み合った第三傘歯車が固定的に設置され、前記第二回転軸の底端には前記第一傘歯車と噛み合った第四傘歯車が固定的に設置されていることを特徴とする請求項１に記載の水晶床。
【請求項３】
前記煙霧噴射機構は前記第三チャンバを含み、前記第三チャンバと前記第二スライドチャンバとの間には前記第一主動軸と噛み合った第二スプラインスリーブが回転可能に設置され、前記第二スプラインスリーブの左端には第五傘歯車が固定的に設置され、前記第三チャンバの中には前後に伸びた第三回転軸が回転可能に設置され、前記第三回転軸には前記第五傘歯車と噛み合った第六傘歯車が固定的に設置され、前記第六傘歯車の前端には円盤が固定的に設置され、前記圧迫チャンバの左端には第二逆止弁が固定的に設置され、前記第二逆止弁の左側の前記圧迫チャンバの中には粉塵供給パイプが連通するように設置され、前記第二逆止弁の右側の前記圧迫チャンバの中にはピストンがスライド可能に設置され、前記ピストンの中には右方に開口した凹み溝が設置され、前記凹み溝の後側端壁と前記円盤の前側端面との間にはヒンジ連結棒がヒンジで連結され、前記圧迫チャンバの頂壁には煙霧生成器が連通するように設置されていることで、前記円盤が前記ヒンジ連結棒を連動させて前記圧迫チャンバの中でスライドさせ、前記ピストンにより粉塵を前記煙霧生成器の中に押して煙霧を生むことを特徴とする請求項１に記載の水晶床。
【手続補正２】
【補正対象書類名】明細書
【補正対象項目名】全文
【補正方法】変更
【補正の内容】
【発明の詳細な説明】
【技術分野】
【０００１】
本発明は床装飾分野に関し、具体的には水晶床に関する。
【背景技術】
【０００２】
ガラス床は一般単調で色による装飾がなく、舞台として使う時、別途に床の上方に舞台効果に工夫を加え、全体感が悪い。また、煙と屈折した光線により幻覚効果を作った後、煙を集めて統一に処分すべきのであり、光などの効果にも異なるレベルを設置して省エネを図る。そのため、水晶床をデザインして上記問題を解決する必要がある。
【先行技術文献】
【特許文献】
【０００３】
【特許文献１】中国特許出願公開第１０１８６８５８３号明細書
【発明の概要】
【発明が解決しようとする課題】
【０００４】
本発明の目的は水晶床を提供し、それは上記の現在の技術中の問題を解決できる。
【課題を解決するための手段】
【０００５】
上記の課題を解決するため、本発明は以下の技術プランを採用する：水晶床は、地表を含み、前記地表の頂面の前後側には壁体が設置され、前記地表の中には上方に開口した第一チャンバが等間隔に配置され、前後両側の前記壁体の間には一対のレーザセンサが対向するように設置され、前記第一チャンバの底壁には前記レーザセンサと通電可能に連結されたネオンライトが固定的に設置され、前記第一チャンバの頂壁には強化ガラスが固定的に設置され、前記強化ガラスの底面には水晶屈折層が固定的に設置され、前記第一チャンバの前側端壁には吸気口が外部に連通するように設置され、二つの前記第一チャンバの間には貫穴が連通するように設置され、最も右側の前記第一チャンバには排煙口が外部に連通するように設置され、前記排煙口の中には第一逆止弁が固定的に設置され、前記第一チャンバの右側端壁の中には上方に開口した第一スライドチャンバが設置され、前記第一スライドチャンバの中には踏み板がスライド可能に設置され、前記踏み板と前記第一スライドチャンバの底壁との間には第一ばねが連結され、前記踏み板の底面には圧迫棒が固定的に設置され、前記第一スライドチャンバの底壁には前記圧迫棒と接触するスイッチが固定的に設置され、前記第一チャンバの底壁には第二スライドチャンバが設置され、前記第二スライドチャンバの中にはスライダーがスライド可能に設置され、前記スライダーの中にはモータが固定的に設置され、前記モータの左端には第一主動軸が伝動可能に連結され、前記モータの右端には第二主動軸が伝動可能に連結され、前記第二スライドチャンバの頂壁にはスライド溝が連通するように設置され、前記スライド溝の中には前記スライダーの頂面と固定的に連結された永久磁石がスライド可能に設置され、前記永久磁石と前記スライド溝の左側端壁との間には第二ばねが連結され、前記スライド溝の右端壁には前記レーザセンサと通電可能に連結された電磁石が固定的に設置され、前記第二スライドチャンバの右端壁には第二チャンバが設置され、前記第二チャンバと前記第一チャンバの後側端壁との間には送風排煙機構が設置され、前記第二スライドチャンバの左端壁には第三チャンバが設置され、前記第三チャンバの左側端壁には圧迫チャンバが連通するように設置され、前記圧迫チャンバと前記第三チャンバとの間には煙霧噴射機構が設置されている。
【０００６】
優選的には、前記送風排煙機構は前記第二チャンバを含み、前記第二チャンバと前記第二可能に設置され、前記第一スプラインスリーブの右端には第一傘歯車が固定的に設置され、前記第一チャンバの後側端壁には送風チャンバが連通するように設置され、前記送風チャンバの前側には濾過網が固定的に設置され、前記送風チャンバの後側端壁には第四チャンバが設置され、前記第四チャンバと前記送風チャンバとの間には第一回転軸が回転可能に設置され、前記第一回転軸の左端には扇風機が固定的に設置され、前記第一回転軸の右端には第二傘歯車が固定的に設置され、前記第四チャンバと前記第二チャンバとの間には第二回転軸が回転可能に設置され、前記第二回転軸の頂端には前記第二傘歯車と噛み合った第三傘歯車が固定的に設置され、前記第二回転軸の底端には前記第一傘歯車と噛み合った第四傘歯車が固定的に設置されている。
【０００７】
前記煙霧噴射機構は前記第三チャンバを含み、前記第三チャンバと前記第二スライドチャンバとの間には前記第一主動軸と噛み合った第二スプラインスリーブが回転可能に設置され、前記第二スプラインスリーブの左端には第五傘歯車が固定的に設置され、前記第三チャンバの中には前後に伸びた第三回転軸が回転可能に設置され、前記第三回転軸には前記第五傘歯車と噛み合った第六傘歯車が固定的に設置され、前記第六傘歯車の前端には円盤が固定的に設置され、前記圧迫チャンバの左端には第二逆止弁が固定的に設置され、前記第二逆止弁の左側の前記圧迫チャンバの中には粉塵供給パイプが連通するように設置され、前記第二逆止弁の右側の前記圧迫チャンバの中にはピストンがスライド可能に設置され、前記ピストンの中には右方に開口した凹み溝が設置され、前記凹み溝の後側端壁と前記円盤の前側端面との間にはヒンジ連結棒がヒンジで連結され、前記圧迫チャンバの頂壁には煙霧生成器が連通するように設置されていることで、前記円盤が前記ヒンジ連結棒を連動させて前記圧迫チャンバの中でスライドさせ、前記ピストンにより粉塵を前記煙霧生成器の中に押して煙霧を生む。
【発明の効果】
【０００８】
以上により、本発明の水晶床は、反応が速やかで、舞台効果がいい。また、本発明の水晶床は異なるレベルが設置され、煙霧を統一に集め、省エネで環境に優しく、使用寿命が長い。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の水晶床の全体構造図
【図２】図２は図１におけるＡ―Ａの構造図
【図３】図３は図１におけるＢの拡大構造図
【図４】図４は図１におけるＣの拡大構造図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜４に示すように、本発明の水晶床は、地表１９を含み、前記地表１９の頂面の前後側には壁体１０が設置され、前記地表１９の中には上方に開口した第一チャンバ２０が等間隔に配置され、前後両側の前記壁体１０の間には一対のレーザセンサ１１が対向するように設置され、前記第一チャンバ２０の底壁には前記レーザセンサ１１と通電可能に連結されたネオンライト６２が固定的に設置され、前記第一チャンバ２０の頂壁には強化ガラス２６が固定的に設置され、前記強化ガラス２６の底面には水晶屈折層２７が固定的に設置され、前記第一チャンバ２０の前側端壁には吸気口３０が外部に連通するように設置され、二つの前記第一チャンバ２０の間には貫穴２５が連通するように設置され、最も右側の前記第一チャンバ２０には排煙口１７が外部に連通するように設置され、前記排煙口１７の中には第一逆止弁１８が固定的に設置され、前記第一チャンバ２０の右側端壁の中には上方に開口した第一スライドチャンバ１３が設置され、前記第一スライドチャンバ１３の中には踏み板１２がスライド可能に設置され、前記踏み板１２と前記第一スライドチャンバ１３の底壁との間には第一ばね１４が連結され、前記踏み板１２の底面には圧迫棒１５が固定的に設置され、前記第一スライドチャンバ１３の底壁には前記圧迫棒１５と接触するスイッチ１６が固定的に設置され、前記第一チャンバ２０の底壁には第二スライドチャンバ２２が設置され、前記第二スライドチャンバ２２の中にはスライダー４４がスライド可能に設置され、前記スライダー４４の中にはモータ４６が固定的に設置され、前記モータ４６の左端には第一主動軸４５が伝動可能に連結され、前記モータ４６の右端には第二主動軸４７が伝動可能に連結され、前記第二スライドチャンバ２２の頂壁にはスライド溝４３が連通するように設置され、前記スライド溝４３の中には前記スライダー４４の頂面と固定的に連結された永久磁石４１がスライド可能に設置され、前記永久磁石４１と前記スライド溝４３の左側端壁との間には第二ばね４２が連結され、前記スライド溝４３の右端壁には前記レーザセンサ１１と通電可能に連結された電磁石４９が固定的に設置され、前記第二スライドチャンバ２２の右端壁には第二チャンバ２１が設置され、前記第二チャンバ２１と前記第一チャンバ２０の後側端壁との間には送風排煙機構９０が設置され、前記第二スライドチャンバ２２の左端壁には第三チャンバ２３が設置され、前記第三チャンバ２３の左側端壁には圧迫チャンバ２４が連通するように設置され、前記圧迫チャンバ２４と前記第三チャンバ２３との間には煙霧噴射機構９１が設置されている。
【００１３】
有益的には、前記送風排煙機構９０は前記第二チャンバ２１を含み、前記第二チャンバ２１と前記第二スライドチャンバ２２との間には前記第二主動軸４７と噛み合った第一スプラインスリーブ４８が回転可能に設置され、前記第一スプラインスリーブ４８の右端には第一傘歯車３５が固定的に設置され、前記第一チャンバ２０の後側端壁には送風チャンバ３２が連通するように設置され、前記送風チャンバ３２の前側には濾過網３１が固定的に設置され、前記送風チャンバ３２の後側端壁には第四チャンバ３９が設置され、前記第四チャンバ３９と前記送風チャンバ３２との間には第一回転軸３４が回転可能に設置され、前記第一回転軸３４の左端には扇風機３３が固定的に設置され、前記第一回転軸３４の右端には第二傘歯車４０が固定的に設置され、前記第四チャンバ３９と前記第二チャンバ３２との間には第二回転軸３７が回転可能に設置され、前記第二回転軸３７の頂端には前記第二傘歯車４０と噛み合った第三傘歯車３８が固定的に設置され、前記第二回転軸３７の底端には前記第一傘歯車３５と噛み合った第四傘歯車３６が固定的に設置されている。
【００１４】
有益的には、前記煙霧噴射機構９１は前記第三チャンバ２３を含み、前記第三チャンバ２３と前記第二スライドチャンバ２２との間には前記第一主動軸４５と噛み合った第二スプラインスリーブ５９が回転可能に設置され、前記第二スプラインスリーブ５９の左端には第五傘歯車６０が固定的に設置され、前記第三チャンバ２３の中には前後に伸びた第三回転軸５７が回転可能に設置され、前記第三回転軸５７には前記第五傘歯車６０と噛み合った第六傘歯車６１が固定的に設置され、前記第六傘歯車６１の前端には円盤５８が固定的に設置され、前記圧迫チャンバ２４の左端には第二逆止弁５３が固定的に設置され、前記第二逆止弁５３の左側の前記圧迫チャンバ２４の中には粉塵供給パイプ５４が連通するように設置され、前記第二逆止弁５３の右側の前記圧迫チャンバ２４の中にはピストン５２がスライド可能に設置され、前記ピストン５２の中には右方に開口した凹み溝５５が設置され、前記凹み溝５５の後側端壁と前記円盤５８の前側端面との間にはヒンジ連結棒５６がヒンジで連結され、前記圧迫チャンバ２４の頂壁には煙霧生成器５０が連通するように設置されていることで、前記円盤５８が前記ヒンジ連結棒５６を連動させて前記圧迫チャンバ２４の中でスライドさせ、前記ピストン５２により粉塵を前記煙霧生成器５０の中に押して煙霧を生む。
【００１５】
下記に、図面と上記の本発明の水晶床の具体的な構造を合わせて使用方法を紹介する：
【００１６】
歩行者が前記強化ガラス２６を通りかかった時、まず前記踏み板１２を踏み、前記踏み板１２が前記圧迫棒１５を連動させて下に前記スイッチ１６を押し、前記スイッチ１６が前記モータ４６を起動し、前記モータ４６が前記第一主動軸４５と前記第二主動軸４７とを回転連動させ、前記第二主動軸４７が前記第一傘歯車３５を回転連動させ、前記第一傘歯車３５が前記第四傘歯車３６と前記第三傘歯車３８とを回転連動させ、前記第三傘歯車３８が前記扇風機３３の中に動力を伝達し、前記扇風機３３が回転して送風し、前記第一チャンバ２０の中に空気が流動し始め、煙霧を作り出した後煙霧の流動の効果を作る。
【００１７】
歩行者は引き続き左に進んで前記レーザセンサ１１を遮った後、前記レーザセンサ１１が起動して前記レオンライト６２が点くと同時に、前記電磁石４９が前記永久磁石４１に反発し、前記永久磁石４１が前記スライダー４４を左にスライド連動させ、前記第一主動軸４５と前記第二スプラインスリーブ５９とを噛み合わせ、前記第一主動軸４５が前記第五傘歯車６０の中に伝動し、前記第五傘歯車６０が前記第六傘歯車６１と前記円盤５８を回転連動させ、前記円盤５８が前記ヒンジ連結棒５６により前記ピストン５２を連動させて前記圧迫チャンバ２４の中で往復にスライドさせ、この時前記圧迫チャンバ２４の中の粉塵が前記煙霧生成器５０の中に押されて煙霧に形成し、同時に前記ネオンライト６２のライトと前記水晶屈折層２７とにより多段の屈折が発生し、光線が流動の煙霧の中に分散的に射され、床に幻覚のような舞台効果が出る。
【００１８】
以上により、本発明の水晶床は、反応が速やかで、舞台効果がいい。また、本発明の水晶床は異なるレベルが設置され、煙霧を統一に集め、省エネで環境に優しく、使用寿命が長い。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。